(57)【要約】スライドベーンユニット２とオイル分離再生装置３とを有するオイル潤滑回転ベーン真空ポンプ１に関し、オイル分離再生装置においてオイルとガスが分離器により分離され、可能であればオイル冷却器及び／又はオイルポンプにより補充され、当該装置のために１又は複数のモニタリング及び／又はサービス装置３７が設けられ、オイル分離再生装置３はオイル分離再生ハウジング１３に搭載され、側壁１４、１５がスライドベーンロータ６の回転面に交差して延在し、オイル分離再生ハウジング１３の長手方向を規定する。取り扱い、メンテナンス及び／又は製造に関してこの種の回転ベーン真空ポンプをさらに改良するために、１又は複数のモニタリング及び／又はメンテナンス装置３７が、オイル分離再生ハウジング１３の一方又は双方の壁１８、１９に取り付けられた１又は複数のカバー部品Ａ、Ｂ、Ｃにのみ配置され、さらにオイル分離再生ハウジング１３が、モニタリング及び／又はメンテナンス装置３７用に構成されていない側壁１４、１５、底壁１６及び天井壁１７を形成されている【選択図】図１
2018514693.tif 000002
【特許請求の範囲】
【請求項１】
回転ベーン室（５）及び回転ベーンロータ（６）を具備する回転ベーンユニット（２）とオイル分離再生装置（３）とを有し、前記オイル分離再生装置（３）が、好ましくはフィルタ要素により、かつ／又は重力及び／又は遠心力分離器（２４）により、かつ／又は微細分離器である分離器（２５）によりオイルとガスの分離を行いかつ／又はオイル冷却器を有しかつ／又はオイルポンプを有し、前記装置のために１又は複数のモニタリング／メンテナンス装置（３７）が設けられ、かつ、前記オイル分離再生装置（３）が、側壁（１４、１５）と底壁（１６）と天井壁（１７）と端壁（１８、１９）とを具備するオイル分離再生ハウジング（１３）に収容されており、前記側壁（１４、１５）が回転ベーンロータ（６）の回転面と交差して延在しかつ前記オイル分離再生ハウジング（１３）の長手方向を規定している、オイル潤滑回転ベーン真空ポンプ（１）において、
１又は複数のモニタリング及び／又はメンテナンス装置（３７）が、前記オイル分離再生ハウジング（１３）の一方又は双方の端壁（１８、１９）に取り付けられた１又は複数のカバー部品（Ａ、Ｂ、Ｃ）にのみ配置されており、かつ、前記オイル分離再生ハウジング（１３）のそれ以外の部分が、前記モニタリング／メンテナンス装置（３７）を配置されていない側壁（１４、１５）、底壁（１６）及び天井壁（１７）により形成されていることを特徴とするオイル潤滑回転ベーン真空ポンプ。
【請求項２】
１又は複数の前記モニタリング／メンテナンス装置（３７）が、前記オイル分離再生装置（３）における取り外し可能なメンテナンスカバー（３３）に配置されており、前記メンテナンスカバー（３３）を取り外したとき、例えば微細分離器である分離器（２５）及び／又はフロート装置（３０）に対しメンテナンスのためにアクセス可能となることを特徴とする請求項１に記載のオイル潤滑回転ベーン真空ポンプ。
【請求項３】
前記オイル分離再生ハウジング（１３）が、その長手方向において押し出し成形形状により、特にアルミニウム押し出し成形形状により形成されていることを特徴とする請求項１又は２に記載のオイル潤滑回転ベーン真空ポンプ。
【請求項４】
前記メンテナンスカバー（３３）が、前記オイル分離再生ハウジング（１３）における前記端壁（１８、１９）の一部又は前記端壁（１８、１９）の全体を形成することを特徴とする請求項１〜３のいずれかに記載のオイル潤滑回転ベーン真空ポンプ。
【請求項５】
流れて通過できる前記例えば微細分離器である分離器（２５）が、その流れ方向（ｂ）に関して前記オイル分離再生装置（３）の長手方向に沿って配置されていることを特徴とする請求項１〜４のいずれかに記載のオイル潤滑回転ベーン真空ポンプ。
【請求項６】
前記回転ベーンユニット（２）と前記オイル分離再生装置（３）との間にある前記側壁（１４、１５）が連通孔（２６）を有し、それを通ってオイル成分を伴う圧縮されたガスが前記オイル分離再生装置（３）に流入できることを特徴とする請求項１〜５のいずれかに記載のオイル潤滑回転ベーン真空ポンプ。
【請求項７】
オイル成分を伴う流入したガスが、前記オイル分離再生装置（３）の第１の区画において、微細分離が行われる第２の区画とは反対の流れ方向（ａ）に流れることを特徴とする請求項１〜６のいずれかに記載のオイル潤滑回転ベーン真空ポンプ。
【請求項８】
前記連通孔（２６）の下方に、後続の流路としてハウジング部（２７）が形成されており、重力及び／又は遠心力によりガスから分離されたオイルが前記ハウジング部（２７）に流入することを特徴とする請求項６又は７に記載のオイル潤滑回転ベーン真空ポンプ。
【請求項９】
前記ハウジング部（２７）が、オイル排出孔（３９）を有することを特徴とする請求項８に記載のオイル潤滑回転ベーン真空ポンプ。
【請求項１０】
前記オイル排出孔（３９）が、前記オイル分離再生ハウジング（１３）における前記端壁（１８、１９）からアクセス可能であることを特徴とする請求項９に記載のオイル潤滑回転ベーン真空ポンプ。
【請求項１１】
前記ハウジング部（２７）にあるオイルをオイルフィルタ（２８）に通すことができることを特徴とする請求項８〜１０のいずれかに記載のオイル潤滑回転ベーン真空ポンプ。
【請求項１２】
前記オイルフィルタ（２８）に通されたオイルを前記回転ベーン室（５）に導入可能であることを特徴とする請求項１１に記載のオイル潤滑回転ベーン真空ポンプ。
【請求項１３】
前記例えば微細分離器である分離器（２５）にフィルタマット４２が設けられることを特徴とする請求項１〜１２のいずれかに記載のオイル潤滑回転ベーン真空ポンプ。
【請求項１４】
前記フィルタマット（４２）が、オイル／ガス混合物のための内側流路を具備する管状に形成されることを特徴とする請求項１３に記載のオイル潤滑回転ベーン真空ポンプ。
【請求項１５】
前記例えば微細分離器である分離器２５で分離されたオイルがフロート装置（３０）を通ってハウジング部（２７）に流入することを特徴とする請求項１〜１４のいずれかに記載のオイル潤滑回転ベーン真空ポンプ。
【請求項１６】
前記フロート装置（３０）が、前記メンテナンスカバー（３３）を取り外した後にアクセス可能であることを特徴とする請求項２〜１５のいずれかに記載のオイル潤滑回転ベーン真空ポンプ。
【請求項１７】
前記端壁（１８、１９）に、選択的にメンテナンスカバー（３３）に、充填レベル標示器（３８）が設けられることを特徴とする請求項１〜１６のいずれかに記載のオイル潤滑回転ベーン真空ポンプ。
【請求項１８】
前記端壁（１８、１９）に、選択的にメンテナンスカバー（３３）に、過圧バルブ又は破裂ディスク（４１）が配置されることを特徴とする請求項１〜１７のいずれかに記載のオイル潤滑回転ベーン真空ポンプ。
【請求項１９】
前記端壁（１８、１９）に、選択的にメンテナンスカバー（３３）に、温度モニター要素が配置されることを特徴とする請求項１〜１８のいずれかに記載のオイル潤滑回転ベーン真空ポンプ。
【請求項２０】
前記端壁（１８、１９）を通して、好ましくはメンテナンスカバー（３３）を通して、送られたガスを放出できることを特徴とする請求項１〜１９のいずれかに記載のオイル潤滑回転ベーン真空ポンプ。
【請求項２１】
前記メンテナンスカバー（３３）が、ガス出口ポート（３５）を有することを特徴とする請求項２〜２０のいずれかに記載のオイル潤滑回転ベーン真空ポンプ。
【請求項２２】
前記端壁（１８）が、ガス出口ポート（３５）を具備するメンテナンスカバー（３３）、又は、消音器若しくは更なるガイド要素との接続のためのメンテナンスカバー（３３）のいずれかを選択的に取り付け可能であることを特徴とする請求項１〜２１のいずれかに記載のオイル潤滑回転ベーン真空ポンプ。
【請求項２３】
必要に応じて取り外し可能な偏向キャップ３６を具備する前記ガス出口ポート（３５）が設けられ、その中で、放出されたガスが、前記ガス出口ポート（３５）に与えられたその出口方向に対して少なくとも６０°偏向させられることを特徴とする請求項２２に記載のオイル潤滑回転ベーン真空ポンプ。
【請求項２４】
前記オイル分離再生ハウジング（１３）が、組立状態における重力方向において下室（２１）と上室（２２）とを具備する一体的に形成された室を有し、前記オイル分離再生ハウジング（１３）の長手方向における前面側及び背面側に端壁（１８、１９）を接続されていることを特徴とする請求項１〜２３のいずれかに記載のオイル潤滑回転ベーン真空ポンプ。
【請求項２５】
少なくとも一方の前記端壁（１８、１９）が、前記室（２１、２２）の接続部を形成することを特徴とする請求項２４に記載のオイル潤滑回転ベーン真空ポンプ。
【請求項２６】
前記連通孔（２６）が前記下室（２１）に開口していることを特徴とする請求項２４又は２５に記載のオイル潤滑回転ベーン真空ポンプ。
【請求項２７】
前記下室（２１）がオイル回収容器を形成していることを特徴とする請求項２５〜２６のいずれかに記載のオイル潤滑回転ベーン真空ポンプ。
【請求項２８】
前記オイル回収容器において、好ましくは前記押し出し成形形状（２０）により一体化された１又は複数の冷却器が設けられることを特徴とする請求項１〜２７のいずれかに記載のオイル潤滑回転ベーン真空ポンプ。
【請求項２９】
前記上室（２２）に、前記例えば微細分離器である分離器（２５）が配置されることを特徴とする請求項２４〜２８のいずれかに記載のオイル潤滑回転ベーン真空ポンプ。
【発明の詳細な説明】
【技術分野】
【０００１】
本発明は、回転ベーン室及び回転ベーンロータを具備する回転ベーンユニットと、オイル分離再生装置とを有するオイル潤滑される回転ベーン真空ポンプに関し、そのオイル分離再生装置においては、好ましくはフィルタ要素により、かつ／又は、重力及び／又は遠心力分離器により、かつ／又は、例えば微細分離器である分離器により、オイルとガスの分離が行われ、その場合その分離器は、好ましくはフィルタ要素により、かつ／又は、オイル泡除去装置により、かつ／又は、オイル冷却器と共に実現され、その場合上述した装置のために、１又は複数のモニタリング及び／又はメンテナンス装置が設けられ、オイル分離再生装置が、側壁、底壁、天井壁及び端壁を具備するオイル分離再生ハウジング内に収容されており、その側壁は、回転ベーンロータの回転面に対し交差するように延在し、かつオイル分離再生ハウジングの長手方向に沿っている。
【背景技術】
【０００２】
オイル潤滑回転ベーン真空ポンプは、従来公知の技術である。これは、一般的に、回転ベーン室を形成された回転ベーンハウジングを具備する回転ベーンブロワであり、その回転ベーン室は、円柱形状の孔の形態で形成されている。回転ベーンロータは、通常、ロータのスリット内に変位可能に配置されたベーンを具備する円柱形状に形成される。ロータのスリットは、断面において、ロータを通して正確に径方向に向いているか又は径方向に対して鋭角をなすことができる。従来技術によれば、ロータの支持は、好ましくは、回転ベーンハウジングの各端部で終端する側面カバーの領域に設けられている。
【０００３】
ロータは、真空ポンプの稼働中、回転ベーンハウジングの中心軸に対し径方向に逸れて回転する。それにより、実質的に径方向に変位可能に配置されたベーンにより分離される閉鎖された室が形成され、その大きさがロータの一回転中に変化する。大きさの変化によって、個々の室の間に圧力差を生じ、それによりポンプの入口側と出口側の間に圧力差を生じる。
【０００４】
オイル潤滑回転ベーン真空ポンプにおいては、回転ベーンハウジングにオイルが導入される。オイルは、異なる構成要素間のギャップに付与される。これにより、ベーンの間に位置する室間におけるガス交換も阻止される。このようにして、いわゆる乾式稼動される回転ベーン真空ポンプに比べて稼働中の高い真空度が得られる。
【０００５】
オイルは、押し出されたガスと共に最後の室から出口に搬送される。加えて、オイルは、システム内のエンタルピー凝縮により加熱される。さらにオイルは、搬送媒体との接触により汚染されたり、起こり得る化学反応の結果、変化したりすることがある。ブロワ領域を出た後、好ましくはオイルの処理が行われる。この点において、装置内でオイルを循環プロセスにて移送することが公知である。
【０００６】
さらに、オイル処理プロセスを実質的に３つの部分プロセスで行うことも公知である。したがって、先ず、オイルとガスの分離が、可能であればいくつかの段階にて行われる。大きなオイル粒子の粗分離は、相応のフィルタ要素により、またそれに替えて又はそれと組み合わせてオイル／ガス混合物の不均一性による重力及び／又は遠心力分離器によって、またそれに替えて又はそれと組み合わせて流れの遅延によって行うことができる。さらに、オイルとガスの分離のために、例えば微細分離器である分離器を設けることができ、その場合ガス流は、例えば特殊なフィルタマットを通過させられる。更なる部分プロセスにおいて、オイル泡の除去を行うことができる。過大な泡形成、すなわちオイル中に包含されるエアバブルは、装置を通るオイルの流れを妨げ、したがって潤滑と密閉の機能を阻害する。別の部分プロセスは、オイルフィルタによるオイルのフィルタリングであってもよい。
【０００７】
例えば、電気的オイルレベルセンサ及び／又はオイル監視ガラス及び／又はオイル温度モニターなどの１又は複数のモニタリング及び／又はメンテナンス装置を設けることができる。
【０００８】
さらに、オイル分離再生装置を、回転ベーンハウジングとは分離しているが必要に応じて連結したオイル分離再生ハウジングに収容することが公知である。このようなハウジングの側壁は、回転ベーンロータの回転方向に対し、したがって好ましくは実質的に、回転ベーンロータの軸延在方向に対し、交差するように延在する。
【発明の概要】
【発明が解決しようとする課題】
【０００９】
上述した技術の現状に鑑み、本発明は、問題となるこの種の回転ベーン真空ポンプを、取り扱い及び／又はメンテナンス及び／又は製造に関してさらに改良することを目的とする。
【課題を解決するための手段】
【００１０】
課題の可能な解決手段は、オイル潤滑回転ベーン真空ポンプにおける本発明の第１の態様により与えられ、その場合、１又は複数のモニタリング及び／又はメンテナンス装置が、オイル分離再生ハウジングの２つの端壁に配置された３つのカバー部品にのみ配置されるように、そして、オイル分離再生ハウジングのそれ以外の部分は、モニタリング及び／又はメンテナンス装置のための構成無しで側壁、底壁、天井壁及び端壁を具備して形成されるように、構成されている。
【００１１】
カバー部品は、オイル分離再生ハウジングの端壁に設けられる。例えば、１つの端壁を背面カバーとして形成することができ、そしてサービスカバーが、稼動中に通常は前面側となる端壁に設けられる。加えて、特にサービスカバー上に、メンテナンスのために取り外し可能なメンテナンスカバーを配置することができる。
【００１２】
好ましくはモニタリング及び／又はメンテナンス装置が、さらに好ましくは真空ポンプの通常稼働に関係する全てのモニタリング及び／又はメンテナンス装置が、３つのカバー部品内又はカバー部品上に設けられる。さらに好ましくは、頻繁に使用されるモニタリング及び／又はメンテナンス装置が、サービスカバー内に若しくはサービスカバー上に配置可能なメンテナンスカバー内に設けられるか、又は、これらを介してアクセス可能である。
【００１３】
提示された実施形態においては、実質的な機能が、３つのカバー部品の領域に設けられるか、又は、それらの領域で行われることになる。これらは特に、オイル充填、及び／又は、オイル制御、及び／又は、オイルモニタリング、及び／又は、オイル排出、及び／又は、オイル分離カートリッジ装着、及び／又は、オイル分離カートリッジのメンテナンスのためのアクセス実現、及び／又は、フロート装置固定、及び／又は、フロート装置へのアクセス実現、及び／又は、分離したオイルの回収室の形成、及び／又は、回収オイルの戻しの実現、及び／又は、メンテナンスカバーの取付け、及び／又は、オイル分離再生ハウジングの上室と下室の分離、及び／又は、オイルパンヒーターの接続、及び／又は、水冷装置の接続、及び／又は、フィルタの接続、及び／又は、真空ポンプの下流側に接続される構成要素の接続、及び／又は、放出エアの方向付けである。
【００１４】
上述したカバー部品を具備しない実際のオイル分離再生ハウジングは、関係機能を持たない、少なくともユーザインタフェースに関する機能を持たないことが好ましい。それにより、このハウジングを容易に作製することができる。特に、天井壁及び底壁、さらに好適には少なくとも外側に位置する側壁は、関係装置を配置するための装備無しで形成することができる。
【００１５】
フロート装置は、一般的には、上室から下室への流れを制御するものである。それは特に、上室に存在するオイルレベルにより影響される。所定のオイルレベルを超えることは避けるべきである。フロート装置は、いわゆるバルブと称することもできる。簡明とするために、この装置を常にフロート装置と称することとする。
【００１６】
可能な更なる課題解決手段は、本発明の更なる態様により、オイル循環回転ベーン真空ポンプにおいて提供される。その場合、１又は複数のモニタリング及び／又はメンテナンス装置が、オイル分離再生装置の取り外し可能なメンテナンスカバー上に配置され、そのメンテナンスカバーを取り外したとき、例えば微細分離器である分離器及び／又はフロート装置に対しメンテナンスのためにアクセス可能であるように構成されている。
【００１７】
更なる提示された解決手段によれば、取扱い容易かつメンテナンス容易なオイル潤滑回転ベーン真空ポンプが実現される。１又は複数のモニタリング及び／又はメンテナンス装置が、好ましくはオイル分離再生装置のハウジング領域に設けられ、その領域には取り外し可能なメンテナンスカバーが形成される。モニタリング及び／又はメンテナンス装置は、直接メンテナンスカバーに配置されるか又は形成されるが、必要に応じてハウジング領域周囲におけるメンテナンスカバーの直ぐ近くでもよい。これにより、組立状態及び使用状態の回転ベーン真空ポンプに必要な空間を低減できる。オイル分離再生ハウジングからメンテナンスカバーを取り外すことにより、オイル分離再生装置の構成要素に対するアクセスが可能となり、特に、例えば微細分離器である分離器（エア脱オイル要素とも称される）及び／又はフロート装置に対するアクセスが可能となる。このようなフロート装置は、真空ポンプ稼働中のオイル分離再生装置の領域における所与の圧力差によって、１又は複数のフィルタ要素に目的のガス流を通過させるために必要となり得る。この場合、分離したオイルが、好ましくはオイル分離再生ハウジングの端壁を構成するサービスカバーに形成されたキャビティに回収される。オイル回収室とも称し得るキャビティには、中空体が配置され、好ましくはスイベルであるジョイント及びシール材により接続される。シール材は、オイルの逆流を防止する。オイルレベルが上昇すると、中空体が浮いてシール材がジョイントを超えて持ち上げられ、それによりオイルの戻り口が開口する。
【００１８】
メンテナンスカバーは、好ましくは、メンテナンスカバーを取り外すときにその背後に存在するオイルがオイル分離再生ハウジングに入り込めないように構成されかつ配置されている。
【００１９】
好ましくは、メンテナンスカバーが、オイル分離再生ハウジングの端壁の領域に配置されている。メンテナンスカバーはまた、オイル分離再生ハウジングの端壁に設けられたサービスカバーに配置することもできる。
【００２０】
更なる解決手段において、オイル分離再生ハウジングが、その長手方向において同じ断面形状を有することが提示される。このような形状は、押し出し成形形状とすることができ、特にアルミニウム押し出し成形形状とすることができる。
【００２１】
これにより、オイル分離再生装置のハウジングを特に好適な方法で製造することができる。好ましくはその輪郭が、ハウジング部品の長手方向軸の各点において同じである。
【００２２】
押し出し成形形状に関しては、アルミニウム展伸用合金が二次元ダイス型により押圧されることによって、引き伸ばされた形状が作製され、それを好ましい長さに切断することができる。
【００２３】
外面は、光学的にクリーンであり、均一に形成されている。特に押し出し成形による製造によって、更なる作業ステップ、特に表面処理ステップを省くことができる。加えて、提示されたハウジングの実施形態においては、ハウジングの表面を、デザイン付き要素として見せることができる。
【００２４】
同じ断面形状、好ましくは押し出し成形による形状は、オイル分離再生装置の容積変更を可能とし、用途の必要性に応じて容積を適応させることができる。
【００２５】
押し出し成形形状の前面側及び背面側について言及する場合、それらもまた常に、最も一般的な用語として同じ断面をもつ形状と理解されるべきである。
【００２６】
上述した独立項の特徴は、それ自体及び互いの組合せの双方において本質的であり、独立項の特徴は、更なる独立項の特徴と組み合わせることができ、さらに、１又は複数の独立項の個々の特徴のみと組み合わせることもできる。
【００２７】
したがって、メンテナンスカバーが、オイル分離再生ハウジングの端壁の一部又は端壁の全体を形成することをさらに提示することができる。その端壁は、真空ポンプの使用状態において、作業者又は制御者の方に向くようにできる。
【００２８】
好ましい実施形態においては、メンテナンスカバーが、ハウジングの端壁に設けられた開口を密閉性をもって覆っており、それを通して、例えば微細分離器である分離器及び／又はフロート装置に対し、メンテナンスのためにアクセス可能である。したがって、メンテナンスカバーは、その上面において、端壁の外向きの端面の０．２５〜０．５倍に対応する大きさを有する。
【００２９】
オイルとガスの分離のために分離器が設けられ、それは好ましくは、フィルタ要素、及び／又は、重力及び／又は遠心力分離器、及び又は、微細分離器により形成されている。分離器の上流側又は下流側に関して言及する場合、各場合において逐一説明しないが、それは上記実施例のいずれかとすることができる。
【００３０】
流れて通過できる例えば微細分離器である分離器は、その流れ方向においてオイル分離再生装置の長手方向に沿って配置されることができる。さらに好ましくは、例えば微細分離器である分離器の配置が、ハウジングの押し出し成形形状の長手方向に選択されている。
【００３１】
好ましくは、メンテナンスカバーが、例えば微細分離器である分離器の延長上である端壁の領域に配置されている。例えば微細分離器である分離器の長手方向中心軸が、メンテナンスカバーの主面の領域においてメンテナンスカバーが延在する部分を通過することができる。
【００３２】
メンテナンスカバーを取り外した後、先ず、、例えば微細分離器である分離器から、それが設けられている場合は好ましくは特殊なフィルタマットの形態であるフィルタ要素を取り外すことができる。これにより、例えば新たなフィルタ要素を容易に交換することができる。
【００３３】
回転ベーンユニットとオイル分離再生装置との間には、側壁が設けられている。これはオイル分離再生ハウジングの側壁とすることができる。側壁は連通孔を有し、それを通してオイル成分を伴う圧縮されたガスが回転ベーンユニットからオイル分離再生装置に流入することができる。
【００３４】
オイル成分を伴う流入したガスは、オイル分離再生装置の第１の区画において、第２の区画とは反対方向に流れ、第２の区画では例えば微細分離器によりオイルとガスの分離を生じる。このときもまた、流れ方向は、好ましくはオイル分離再生ハウジングの長手方向とすることができ、したがってさらに好ましくは押し出し成形形状の長手方向とされる。これは、実質的に、ハウジングの一方の端部領域からその長手方向に沿ってハウジングの他方の端部領域への流れ方向であり、その場合、ハウジングの一方の端部から他方の端部への流れの内部に、極めて厳密に直線状となる流れ方向からの偏りを設けることができる。
【００３５】
連通孔の下方には、流路として接続されたハウジング区画を形成することができ、その中に、重力及び／又は遠心力によってガスから分離されたオイルが流入する。そのハウジング区画は、オイル回収室を受容するために用いられ、したがってオイルパンの形態で形成することもできる。好ましくは、重力及び／又は遠心力分離によってガスとオイルの最初の分離が行われる。
【００３６】
オイル交換を可能とするために、必要に応じてオイル冷却管の接続も可能とするために、そのハウジング区画は少なくとも１つのオイル排出孔を有する。これは、好ましくは真空ポンプの組立状態及び使用状態にてハウジング区画の鉛直方向の最下領域に、さらに好ましくはハウジング区画の底部近傍に形成することができる。さらに好ましくは、オイル排出孔は閉鎖可能である。
【００３７】
さらに、オイル排出孔は、オイル分離再生ハウジングの端壁からアクセス可能である。好ましい実施形態では、オイル排出孔が端壁に設けられ、同時にその上にメンテナンスカバーも配置される。
【００３８】
特に、ガスと分離されたオイルから粒子を分離するために、さらにオイルフィルタがハウジング区画の内部に又はハウジング区画に取り付けられて設けられ、ハウジング区画にあるオイルをそれに流し通過させることができる。好ましくは、それは交換可能なオイルフィルタとすることができる。
【００３９】
オイルフィルタを通過させられたオイルは、好ましくは回転ベーン室に導入可能である。このためにポンプを設けることができ、それは、ハウジング区画に回収されたオイルをオイルフィルタを介して吸引し、回転ベーンユニットの回転ベーン室に送出する。好ましくは、ポンプを設けない構成とし、その場合、オイルの搬送に真空ポンプのオイル回収室と稼働室の間の圧力差が利用される。
【００４０】
例えば微細分離器である分離器には、フィルタマットを設けることができる。このフィルタマットは好ましくは交換可能であり、好ましい実施形態においては、そのような交換が、メンテナンスカバーを有する端壁からメンテナンスカバーを取り外した後に行われる。
【００４１】
フィルタマットは、オイル／ガス混合物の流路を内側に具備する管形状に形成することができる。例えば微細分離器である分離器において、好ましい実施形態では、分離されたオイルがフロート装置を介してオイル回収室を有するハウジング区画に流入する。
【００４２】
フィルタマットの流れ抵抗により、分離器の上流側と下流側の圧力差を生じる。この圧力差は、ポンプが実際に送出している流量に応じて、４００ｍｂａｒまでとすることができる。この圧力差があるために、フロート装置が必要される。なぜなら、フロート装置が無ければ、ガス流が、微細分離器からガス出口に即座に直接流れてしまうからである。
【００４３】
フロート装置は、メンテナンスカバーに直接形成することができ、又は好ましくはメンテナンスカバーを取り外した後にアクセス可能である。これもまた、メンテナンスの改善を実現する。
【００４４】
充填レベル標示器を、端壁に設けることができ、必要に応じてメンテナンスカバーに設けるか又は取り付けることもできる。これにより、真空ポンプのオイル充填レベルを読み取ることができる。これは、汎用的な監視ガラスとすることができ、それに替えてアナログ又はデジタルの計測値標示器とすることができる。
【００４５】
さらに、過圧バルブ又は破裂ディスクを、端壁に配置することができ、必要に応じてメンテナンスカバーに配置することもできる。そのような過圧バルブ又は破裂ディスクは、装置内の突然の過圧に対する保護として機能する。メンテナンスカバーにおいて有り得る破裂保護が生じた場合、その発生後に簡単な操作によって、例えばメンテナンスカバー全体を交換することによって安全な稼動状態に復帰させることができる。
【００４６】
更なる実施形態においては、温度モニタリング要素を、端壁に配置することができ、必要に応じてメンテナンスカバーに配置するか又は取り付けることができる。これは特に、オイル温度のモニタリングに用いられる。
【００４７】
好ましい実施形態においては、オイルから分離されたガスが、端壁を通って、さらに好ましくはメンテナンスカバーを通って出ることができる。このために端壁は、特にメンテナンスカバーは、相応の出口開口を有する。
【００４８】
好ましい実施形態においては、メンテナンスカバーが、ガス出口ポートを有する。これは、消音器又は更なるガイド要素と接続するように構成することができる。したがって、メンテナンスカバーの第１の実施形態においては、ガス出口ポートがさらに、螺子山を設けられている。これに対して出口パイプを接続することができる。螺子山は、バーストバルブを接続するためにも用いることができる。必要に応じて、バーストバルブを出口パイプに配置するか又は固定することができる。必要であれば、パイプライン、消音器、又はその他のガスガイド要素を接続することができる。装置の稼働中にも、メンテナンスカバーの交換により適切な装備を具備するメンテナンスカバーを配置することができる。
【００４９】
第２の実施形態においては、ガス出口ポートに、必要に応じて取り外し可能な偏向キャップを設けることができ、その中で、放出されたガスが、ガス出口ポートで与えられたその放出方向に対して少なくとも６０°偏向させられる。好ましくは、この偏向は、放出されたガスが下向きに流れるように選択される。これにより、音が床の方に向けられるので真空ポンプの稼働中の騒音が低減される。さらに、ガス出口ポートは、メンテナンスカバー上で回転可能に配置することができ、それによって例えば、側方又は上方への偏向も可能である。
【００５０】
オイル分離再生ハウジングは、組立状態における重力方向において下室と上室を具備する一体的に形成された室を有することができる。その場合、オイル分離再生ハウジングの長手方向における前面側及び背面側に端壁を接続されることができる。室の一体的構成は、ハウジングの好ましい製造工程における押し出し成形形状により形成することができる。好ましい実施形態では、上室は特に、例えば微細分離器である分離器を受容するために用いられる一方、下室は、真空ポンプの稼働中、上述したハウジング区画を構成する。接続されるべき端壁はそれぞれ、オイル分離再生ハウジングの１つの端部を形成する。各端壁は、上述したメンテナンスカバーにより覆われる開口を有することができる。
【００５１】
この場合、好ましくは少なくとも１つの端壁が、室同士の接続部を形成する。各室内で好ましくは反対向きにガスが流れる場合、少なくとも１つの端壁が、ガス偏向領域を形成することができる。
【００５２】
回転ベーンユニット又は回転ベーン室からオイル分離再生装置への連通孔は、好ましい実施形態ではオイル分離再生ハウジングの下室に開口する。好ましくは重力及び／又は遠心力分離器が、流れ方向から視てこの連通孔に接続される。
【００５３】
さらに、好ましい実施形態では、下室がオイル回収容器を形成する。
【００５４】
オイル回収容器には、好ましくは押し出し成形形状による一体的な１又は複数の冷却管を設けることができる。さらに、オイル回収容器の領域に、外部冷却器を用いてオイルを冷却するための入口と出口を設けることができる。
【図面の簡単な説明】
【００５５】
【図１】図１は、オイル潤滑回転ベーン真空ポンプの斜視図である。
【図２】図２は、図１の平面図である。
【図３】図３は、端壁にメンテナンスカバーを具備する真空ポンプの側面図である。
【図４】図４は、図３のラインＩＶ−ＩＶにおける断面図である。
【図５】図５は、図２のラインＶ−Ｖにおける断面図である。
【図６】図６は、図４の領域ＶＩの拡大図である。
【図７】図７は、１つの端壁とオイル分離再生ハウジングを取り外した真空ポンプの斜視図である。
【図８】図８は、オイル分離再生ハウジングの単独の斜視図である。
【図９】図９は、関係するメンテナンスカバーと、メンテナンスカバー上に固定可能なガス出口ポートとを具備する、図７では取り外されている端壁の斜視図である。
【図１０】図１０は、使用中の内面に関するメンテナンスカバーの更なる斜視図である。
【図１１】図１１は、オイル分離再生ハウジングの断面図である。
【発明を実施するための形態】
【００５６】
以下、実施例を示す添付の図面を参照して、本発明をより詳細に説明する。
先ず図１を参照して、回転ベーンユニット２と、オイル分離再生装置３とを具備するオイル潤滑回転ベーン真空ポンプ１を示しかつ説明する。
【００５７】
回転ベーンユニット２は、ユニットハウジングを有し、その中には回転ベーンロータ６を具備する回転ベーン室５が配置されており、フード４により覆われている。
【００５８】
回転ベーン室５は、ユニットハウジング内に円柱形状の孔の形態で形成されている。回転ベーン室５は、回転ベーン室５の孔の軸に沿った長手方向を有する。
【００５９】
円柱形状の回転ベーンロータ６は、回転ベーン室５に対し偏心して配置されている。これに対応して、ロータ軸Ｘは、室の軸に対して平行ではあるが逸れている。
【００６０】
回転ベーンロータ６は、複数の、実施例では３つのベーン７を有する。これらのベーンは、断面においてロータ６のほぼ径方向に向いたスリット８内にスライド可能に配置されている。ベーン７は、回転ベーンロータ６の回転により、回転ベーン室５を区画する壁に対して遠心力によって押し付けられる。
【００６１】
真空ポンプ１の稼動中、回転ベーンロータ６は、回転ベーン室５の中心軸から径方向に逸れて回転し、これは、回転するロータシャフトに作用するモータ、特に電動モータ９を介した駆動による。これにより、径方向に変位可能に配置されたベーン７により分離され閉鎖された室１０が形成され、その大きさは回転ベーンロータ６の回転中に変化する。
【００６２】
回転ベーン室５は、その長手軸における各端部をエアダクトフード１１及びモータフランジ１２により閉鎖されており、それらは回転ベーンロータ６を支持することができる。
【００６３】
例えばモータフランジ１２を設けられたユニットハウジングの外側には、電動モータ９が、好ましくはユニットハウジング上に取り付けられている。回転ベーンモータ６のシャフトは、電動モータ９との回転伝達係合のために、対応するモータフランジ１２を貫通することができる。
【００６４】
真空ポンプ１の稼動中の室１０の大きさの変化によって、各室１０の間の圧力差を生じ、したがってそのように形成されたブロワの入口側と出口側の圧力差を生じる。
【００６５】
電動モータ９による駆動力は、直接的に、又はさらに好適にはクラッチを介してロータシャフトに与えることができる。
【００６６】
オイル潤滑回転ベーンユニット２は、これにより回転ベーン室５にオイルが導入されることを特徴とする。このオイルによって、異なる構成要素間のギャップ、特にベーン７と回転ベーン室５の壁の間のギャップが埋められる。したがって、異なる室１０間のガス交換が阻止される。このようにして、稼動中には、乾式稼動される回転ベーンポンプのそれよりも高い真空度を得ることができる。
【００６７】
こうしてオイルは、搬送されたガスと共に回転ベーンユニット２の最後の室１０から送出される。加えて、オイルは、エンタルピー凝縮によりシステム内で加熱される。オイルはポンプ媒体（ガス）と接触することになるので、これにより汚染されたり、起こり得る化学反応の結果、変化したりすることがある。
【００６８】
オイルは、真空ポンプ１を循環プロセスによって移送される。この結果、オイルは、回転ベーンユニット２を出た後に処理されなければならない。
【００６９】
装置３が回転ベーンユニット２と接続されることによって、回転ベーンユニット２と、オイル分離再生装置３と、電気モータ９とからなるユニットが形成される。
【００７０】
オイル分離再生装置３は、先ず、側壁１４、１５と、底壁１６と、天井壁１７と、端壁１８、１９とを具備するオイル分離再生ハウジング１３を有する。
【００７１】
端壁１８と１９は、ハウジング１３の長手方向に配置され、その長手方向は、回転ベーンユニット２の回転ベーン室５の長手方向と一致し、一体的に形成されたハウジングの側壁１４、１５、底壁１６及び天井壁１７の各端部に配置され、特にハウジングに螺子止めにより連結されている。端壁１８は、好ましくはサービスカバーとして形成され、そして端壁１９は、背面カバーとして形成される。
【００７２】
ハウジング１３は、その長手方向において、押し出し成形形状２０、特にアルミニウム押し出し成形形状により構成される。例えば、オイル分離再生装置１３は、その長さに亘って実質的に同じ断面を有し、長手方向から視た場合、一定の大きさの輪郭を維持する。さらに、押し出し成形によるハウジング１３の製造時にはそれらの外面が光学的に均一で清浄であるので、視覚的な見栄えを良くするための表面処理ステップを省略することができる。例えば側壁及び／又は底壁及び／又は天井壁の穿孔など必要な処理ステップのみを設けることができる。
【００７３】
押し出し成形プロセスによるハウジング１３の製造は、表面に加えてハウジング形状についても、それが最終的にデザイン的要素をもつように成形できるので、簡略化のために利用できる。
【００７４】
側壁１４と１５は、回転ベーンロータ６の回転面に対し交差して延在する。同時に、図示の実施例においては側壁１４が、オイル分離再生装置１３をユニットハウジング２に固定するための固定面の役割を果たす。
【００７５】
有り得る実施例において、各端部に配置された端壁１８と１９はそれぞれ、隣接するエアダクトカバー１１及びモータフランジ１２によって壁の外側にて終端し、同様に、より好ましくは天井壁１７及び底壁１６は、ユニットハウジングの結合した隣接する壁部分にて終端する。これにより、コンパクトで視覚的に見栄えの良いユニットが得られる。
【００７６】
回転ベーンユニット２とは反対側を向きかつそれにより外向きである側壁１５の外面は、回転ベーンロータ６の回転面のある断面において波板加工されている（図１１参照）。断面視にて、側壁１５の長手方向に亘って均一で丸みのある凸部が設けられ、それらは互いに凹部と繋がっている。これにより、側壁１５の領域において表面積が増加し、その結果、真空ポンプ１の稼動中の放熱を促進する。
【００７７】
好ましい実施形態においては、波状表面が、相対する端壁１８及び端壁１９の表面領域にまで続いている。
【００７８】
オイル分離再生ハウジング１３は、好ましくは一体的に形成された室を有する。同様に図示された組立状態における重力方向において下室２１と上室２２が存在する。下室２１と上室２２の分離は、図１１の断面において側壁１４及び側壁１５に対し交差して延在する分離ウェブ２３により行われる。
【００７９】
オイル分離再生装置においては、真空ポンプ１の稼動中、特にオイルとガスの分離が行われる。
【００８０】
このために、先ず、重力及び／又は遠心力分離器２４と、例えば微細分離器である分離器２５が設けられる。
【００８１】
オイル／ガス混合物は、回転ベーンユニット２から連通孔２６を通り、オイル分離再生装置３の側壁１４の領域に入る。
【００８２】
装置３に入ると、先ず、好ましくは重力／遠心力分離器２４による大きなオイル粒子の粗分離が、オイル／ガス混合物の不均一性と流れの遅延によって行われる。
【００８３】
オイル／ガス混合物の装置３への導入は、対応する重力／遠心力分離器２４が配置された下室２１の領域における対応する連通孔２６を通して行われる。
【００８４】
下室２１の領域における連通孔２６の下方に形成されたハウジング部２７は、オイルパンの役割を果たし、その中にオイルが回収される。したがって、下室２１には、オイル回収容器が形成されている。
【００８５】
さらに、下室２１は、ハウジングの長手方向に沿った流れａの流路を形成する。この流れａは、背面側の端壁１９へと向かう。
【００８６】
端壁１９の壁内面は、下室２１から上室２２へと流れの向きを変えるように構成されており、上室２２に形成された流路によって、下室２１の流れａとは反対向きの流れｂとなる。
【００８７】
上室２２には、例えば微細分離器である分離器２５が配置されている。
【００８８】
例えば微細分離器である分離器２５は、管状のフィルタマット４２を有し、好ましくはその管軸が、回転ベーンロータ６のロータ軸ｘと同じ向きである。したがってさらに、微細分離器である分離器２５は、実質的にオイル分離再生ハウジング１３の長手方向に向いて配置されている。
【００８９】
下室２１から上室２２に向けられたオイル／ガス混合物は、目的とする例えば微細分離器である分離器２５を通過させられ、その場合、例えば微細分離器である分離器２５の上流側と下流側に圧力差が生じ、それは、回転ベーンユニット２の供給圧力に応じて４００ｍｂａｒまでとなり得る。
【００９０】
さらに、オイル分離再生装置３に、オイル泡除去装置を設けることができる。
【００９１】
さらに、オイルフィルタ２８が設けられる。これは、オイル分離再生装置１３の底領域に配置され、さらに好ましくは、背面側の端壁１９に配置されている。オイルフィルタ２８により、オイルパンにあるオイルが吸引され、そして特に固体粒子が除去される。
【００９２】
下室２１と回転ベーンユニット２の室１０との間の圧力差を利用して、オイルフィルタ２８でろ過されたオイルが吸引管２９を通して回転ベーンユニット２に搬送される。
【００９３】
図示しない外部冷却器を用いることにより、特に、ろ過されたオイルの冷却を行うことができる。このために、対応する入口と出口が、下室２１の領域に設けられる。
【００９４】
さらに、ハウジング１３の形状において、例えば底壁１６及び／又は（下室２１を設けられた）側壁１５の領域に、冷媒流路を設けることができる。
【００９５】
使用状態において好ましくは使用者の方に向いた端壁１８が、壁内側に上室２２を下室２１と接続するための通路を内設しており、その通路は、フロート装置３０から形成されている。例えば微細分離器である分離器２５で分離されたオイルは、フロート装置３０を通って下室２１の領域の容器に戻される。これにより、上述した例えば微細分離器である分離器２５の上流側と下流側の圧力差によって、連通孔２６を通って下室２１に入ったガスが直接ガス出口３１へ流れる短絡的な流れを阻止する。
【００９６】
加えて、真空ポンプ１の始動前にオイルを加熱するためのオイルパンヒーターを設けてもよい。
【００９７】
さらに、付加的な水冷機能を設けることができる。
【００９８】
オイル加熱及び／又は水冷機能は、端壁１９に配置することができる。
【００９９】
電動モータ９とは反対向きの前面側に形成された端壁１８の領域における上室２２に関して、上室２２の少なくともほぼ全断面に亘って延在する窓状の開口３２が設けられている。これは、真空ポンプ１の稼動中にメンテナンスカバー３３により閉鎖される。メンテナンスカバー３３は、好ましくはシール材を介在させて端壁１８に螺子止めされる。
【０１００】
メンテナンスカバー３３にはガス出口３１が設けられる。このために、メンテナンスカバー３３は、貫通孔３４を有し、それに対してメンテナンスカバー３３の外側からガス出口ポート３５が取り付けられる。
【０１０１】
ガス出口ポート３５は、取り外し可能な偏向キャップ３６の形態で形成されている。その中で放出されたガスは、そのガス出口ポートで与えられた向き（上室２２における流れｂと実質的に同じ向き）を、底壁１６により規定される面に向かって少なくとも６０°、好ましくは９０°まで下向きに偏向させられる。これにより、音の方向が床に向けられるため、騒音の低減につながる。
【０１０２】
好ましくはガス出口ポート３５が、メンテナンスカバー３３に対して回転可能に配置されることにより、排気の向きを、例えば横向きや上向きに選択的に変えることもできる。
【０１０３】
偏向キャップ３６は、例えばガス出口ポートに対して消音器や更なるガイド要素を接続するために交換可能である。
【０１０４】
加えて、偏向キャップ３６を具備するメンテナンスカバー３３は、メンテナンスカバー３３に対して例えば外部の管を接続するために交換可能である。
【０１０５】
オイル分離再生装置３は、複数のモニタリング及び／又はメンテナンス装置３７を有する。したがって、端壁１８の下室２１の部分には、オイル量を判断するための充填レベル標示器３８を設けることができる。充填レベル標示器３８は、オイル監視ガラスにより、及び／又は、電気的オイルレベルセンサにより形成することができる。
【０１０６】
可能であれば、オイル温度モニターも端壁１８の領域に配置することができる。
【０１０７】
さらに、オイル分離再生装置３内のオイルを交換するために供給口と排出口の双方を端壁１８に設けることができる。そのために、一実施例では、端壁１８にオイル排出孔３９と充填ノズル４０が設けられる。
【０１０８】
端壁１８に設けられたメンテナンスカバー３３を取り外した後、例えば微細分離器である分離器２５及びフロート装置３０に対して、メンテナンスのために、そして必要に応じて真空ポンプ１のサービス作業側から交換するためにアクセス可能となる。
【０１０９】
加えて、過圧バルブをメンテナンスカバー３３に配置することができる。
【０１１０】
過圧バルブは、オイル分離再生装置３内の突然の過圧に対する保護の役割を果たし、したがって好ましくは、モニタリング装置の一部である。
【０１１１】
端壁１８及び１９並びにメンテナンスカバー３３は、カバー部品Ａ、Ｂ及びＣとしてオイル分離再生ハウジング３１に直接又は間接的（カバー部品Ｃ、具体的にはメンテナンスカバー３３）に設けられている。
【０１１２】
上述したモニタリング／メンテナンス装置３７の配置並びにカバー部分Ａ、Ｂ及びＣの構成においては、作業者に関係する全てのインタフェースが、端壁１８、１９の領域にアクセス可能に収容されている利点がある。それによって、装置に必要なスペースが低減され、メンテナンスの容易性が向上し、オイル分離再生ハウジングの製造性が簡素化される。
【０１１３】
上述した説明は、本願により集約的に包含される発明を説明するためのものであり、それはいずれも、少なくとも以下の特徴の組合せにより従来技術をさらに進展させるものである。すなわち：
【０１１４】
オイルベーン真空ポンプであって、１又は複数のモニタリング及び／又はメンテナンス装置３７が、オイル分離再生ハウジング１３の２つの端壁１８、１９に取り付けられたカバー部品Ａ、Ｂ及びＣにのみ配置されており、かつ、オイル分離再生ハウジング１３のそれ以外の部分が、モニタリング／メンテナンス装置３７を配置されていない側壁１４、１５、底壁１６及び天井壁１７により形成されていることを特徴とする。
【０１１５】
オイルベーン真空ポンプであって、１又は複数のモニタリング／メンテナンス装置３７を、オイル分離再生装置３の取り外し可能なメンテナンスカバー３３に配置されており、メンテナンスカバー３３を取り外したとき、例えば微細分離器である分離器２５及び／又はフロート装置３０に対しメンテナンスのためにアクセス可能となることを特徴とする。
【０１１６】
オイルベーン真空ポンプであって、オイル分離再生ハウジング１３が、その長手方向において押し出し成形形状により、特にアルミニウム押し出し成形形状により形成されていることを特徴とする。
【０１１７】
オイルベーン真空ポンプであって、メンテナンスカバー３３が、オイル分離再生ハウジング１３の端壁１８、１９の一部又は端壁１８、１９の全体を形成することを特徴とする。
【０１１８】
オイルベーン真空ポンプであって、流れて通過できる例えば微細分離器である分離器２５が、その流れ方向ｂに関してオイル分離再生装置３の長手方向に沿って配置されていることを特徴とする。
【０１１９】
オイルベーン真空ポンプであって、回転ベーンユニット２とオイル分離再生装置３との間にある側壁１４、１５が連通孔２６を有し、それを通ってオイル成分を伴う圧縮されたガスがオイル分離再生装置３に流入できることを特徴とする。
【０１２０】
オイルベーン真空ポンプであって、オイル成分を伴う流入したガスが、オイル分離再生装置３の第１の区画において、微細分離が行われる第２の区画とは反対の流れ方向ａに流れることを特徴とする。
【０１２１】
オイルベーン真空ポンプであって、連通孔２６の下方に、後続の流路としてハウジング部２７が形成されており、重力及び／又は遠心力によりガスから分離されたオイルがそのハウジング部の中に流入することを特徴とする。
【０１２２】
オイルベーン真空ポンプであって、ハウジング部２７が、オイル排出孔３９を有することを特徴とする。
【０１２３】
オイルベーン真空ポンプであって、オイル排出孔３９が、オイル分離再生ハウジング１３の端壁１８、１９からアクセス可能であることを特徴とする。
【０１２４】
オイルベーン真空ポンプであって、ハウジング部３９にあるオイルをオイルフィルタ２８に通すことができることを特徴とする。
【０１２５】
オイルベーン真空ポンプであって、オイルフィルタ２８に通されたオイルを回転ベーン室５に導入可能であることを特徴とする。
【０１２６】
オイルベーン真空ポンプであって、例えば微細分離器である分離器２５にフィルタマット４２が設けられることを特徴とする。
【０１２７】
オイルベーン真空ポンプであって、フィルタマット４２が、オイル／ガス混合物のための内側流路を具備する管状に形成されることを特徴とする。
【０１２８】
オイルベーン真空ポンプであって、例えば微細分離器である分離器２５で分離されたがフロート装置２０を通ってハウジング部２７に流入することを特徴とする。
【０１２９】
オイルベーン真空ポンプであって、フロート装置３０が、メンテナンスカバー３３を取り外した後にアクセス可能であることを特徴とする。
【０１３０】
オイルベーン真空ポンプであって、端壁１８、１９に、選択的にメンテナンスカバー３３に、充填レベル標示器３８が設けられることを特徴とする。
【０１３１】
オイルベーン真空ポンプであって、端壁１８、１９に、選択的にメンテナンスカバー３３に、過圧バルブ又は破裂ディスク４１が配置されることを特徴とする。
【０１３２】
オイルベーン真空ポンプであって、端壁１８、１９に、選択的にメンテナンスカバー３３に、温度モニター要素が配置されることを特徴とする。
【０１３３】
オイルベーン真空ポンプであって、端壁１８、１９を通して、好ましくはメンテナンスカバー３３を通して、送られたガスを放出できることを特徴とする。
【０１３４】
オイルベーン真空ポンプであって、メンテナンスカバー３３が、ガス出口ポート３５を有することを特徴とする。
【０１３５】
オイルベーン真空ポンプであって、メンテナンスカバー３３が、消音器又は更なるガイド要素との接続のために形成されることを特徴とする。
【０１３６】
オイルベーン真空ポンプであって、端壁１８が、ガス出口ポート３５を具備するメンテナンスカバー３３、又は、消音器若しくは更なるガイド要素との接続のためのメンテナンスカバー３３のいずれかを選択的に取り付け可能であることを特徴とする。
【０１３７】
オイルベーン真空ポンプであって、必要に応じて取り外し可能な偏向キャップ３６を具備するガス出口ポート３５が設けられ、その中で、放出されたガスが、ガス出口ポート３５に与えられたその出口方向に対して少なくとも６０°偏向させられることを特徴とする。
【０１３８】
オイルベーン真空ポンプであって、オイル分離再生ハウジング１３が、組立状態における重力方向において下室２１及び上室２２を具備する一体的に形成された室を有し、オイル分離再生ハウジング１３の長手方向における前面側及び背面側に端壁１８、１９を接続されていることを特徴とする。
【０１３９】
オイルベーン真空ポンプであって、少なくとも一方の端壁１８、１９が、室２１、２２の接続部を形成することを特徴とする。
【０１４０】
オイルベーン真空ポンプであって、連通孔２６が下室２１に開口していることを特徴とする。
【０１４１】
オイルベーン真空ポンプであって、下室２１がオイル回収容器を形成していることを特徴とする。
【０１４２】
オイルベーン真空ポンプであって、オイル回収容器において、好ましくは押し出し成形形状２０に一体化された１又は複数の冷却器が設けられることを特徴とする。
【０１４３】
オイルベーン真空ポンプであって、上室２２に、例えば微細分離器である分離器２５が配置されることを特徴とする。
【符号の説明】
【０１４４】
１  真空ポンプ
２  回転ベーンユニット
３  オイル分離再生装置
４  フード
５  回転ベーン室
６  回転ベーンロータ
７  ベーン
８  スリット
９  電動モータ
１０  室
１１  エアダクトフード
１２  モータフランジ
１３  オイル分離再生装置
１４  側壁
１５  側壁
１６  底壁
１７  天井壁
１８  端壁
１９  端壁
２０  押し出し成形形状
２１  下室
２２  上室
２３  分離ウェブ
２４  重力及び／又は遠心力分離器
２５  分離器
２６  連通孔
２７  ハウジング部
２８  オイルフィルタ
２９  吸引管
３０  フロート装置
３１  ガス出口
３２  開口
３３  メンテナンスカバー
３４  貫通孔
３５  ガス出口ポート
３６  偏向キャップ
３７  モニタリング及びメンテナンス装置
３８  充填レベル標示器
３９  排出孔
４０  充填ノズル
４２  フィルタマット
ａ、ｂ  流れ
ｘ  ロータ軸
Ａ、Ｂ、Ｃ  カバー部品
【図１】
2018514693.tif 000003
【図２】
2018514693.tif 000004
【図３】
2018514693.tif 000005
【図４】
2018514693.tif 000006
【図５】
2018514693.tif 000007
【図６】
2018514693.tif 000008
【図７】
2018514693.tif 000009
【図８】
2018514693.tif 000010
【図９】
2018514693.tif 000011
【図１０】
2018514693.tif 000012
【図１１】
2018514693.tif 000013
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
回転ベーン室（５）及び回転ベーンロータ（６）を具備する回転ベーンユニット（２）とオイル分離再生装置（３）とを有し、前記装置によりオイルとガスの分離を行い、前記装置のために１又は複数のモニタリング／メンテナンス装置（３７）が設けられ、かつ、前記オイル分離再生装置（３）が、側壁（１４、１５）と底壁（１６）と天井壁（１７）と端壁（１８、１９）とを具備するオイル分離再生ハウジング（１３）に収容されており、前記側壁（１４、１５）が回転ベーンロータ（６）の回転面と交差して延在しかつ前記オイル分離再生ハウジング（１３）の長手方向を規定している、オイル潤滑回転ベーン真空ポンプ（１）において、
前記オイル分離再生ハウジング（１３）が、その長手方向において押し出し成形形状により、特にアルミニウム押し出し成形形状により形成されており、かつ、組立状態における重力方向において下室（２１）と上室（２２）とを具備する一体的に形成された室を有することを特徴とするオイル潤滑回転ベーン真空ポンプ。
【請求項２】
１又は複数のモニタリング及び／又はメンテナンス装置（３７）が、前記オイル分離再生ハウジング（１３）の一方又は双方の端壁（１８、１９）に取り付けられた１又は複数のカバー部品（Ａ、Ｂ、Ｃ）にのみ配置されており、かつ、前記オイル分離再生ハウジング（１３）のそれ以外の部分が、前記モニタリング／メンテナンス装置（３７）を配置されていない側壁（１４、１５）、底壁（１６）及び天井壁（１７）により形成されていることを特徴とする請求項１に記載のオイル潤滑回転ベーン真空ポンプ。
【請求項３】
１又は複数の前記モニタリング／メンテナンス装置（３７）が、前記オイル分離再生装置（３）における取り外し可能なメンテナンスカバー（３３）に配置されており、前記メンテナンスカバー（３３）を取り外したとき、例えば微細分離器である分離器（２５）又はフロート装置（３０）に対し、メンテナンスのためにアクセス可能となることを特徴とする請求項１又は２に記載のオイル潤滑回転ベーン真空ポンプ。
【請求項４】
前記オイル分離再生ハウジング（１３）が、その長手方向において押し出し成形形状により、特にアルミニウム押し出し成形形状により形成されており、かつ、組立状態における重力方向において下室（２１）と上室（２２）とを具備する一体的に形成された室を有することを特徴とする請求項１〜３のいずれかに記載のオイル潤滑回転ベーン真空ポンプ。
【請求項５】
前記メンテナンスカバー（３３）が、前記オイル分離再生ハウジング（１３）における前記端壁（１８、１９）の一部又は前記端壁（１８、１９）の全体を形成することを特徴とする請求項１〜４のいずれかに記載のオイル潤滑回転ベーン真空ポンプ。
【請求項６】
分離器（２５）が設けられ、流れて通過できる例えば微細分離器である前記分離器（２５）が、その流れ方向（ｂ）に関して前記オイル分離再生装置（３）の長手方向に沿って配置されていることを特徴とする請求項１〜５のいずれかに記載のオイル潤滑回転ベーン真空ポンプ。
【請求項７】
前記回転ベーンユニット（２）と前記オイル分離再生装置（３）との間にある前記側壁（１４、１５）が連通孔（２６）を有し、それを通ってオイル成分を伴う圧縮されたガスが前記オイル分離再生装置（３）に流入できることを特徴とする請求項１〜５のいずれかに記載のオイル潤滑回転ベーン真空ポンプ。
【請求項８】
前記回転ベーン真空ポンプにガスが流入し、オイル成分を伴う流入した前記ガスが、前記オイル分離再生装置（３）の第１の区画において、微細分離が行われる第２の区画とは反対の流れ方向（ａ）に流れることを特徴とする請求項１〜７のいずれかに記載のオイル潤滑回転ベーン真空ポンプ。
【請求項９】
前記連通孔（２６）の下方に、後続の流路としてハウジング部（２７）が形成されており、重力及び／又は遠心力によりガスから分離されたオイルが前記ハウジング部（２７）に流入することを特徴とする請求項７又は８に記載のオイル潤滑回転ベーン真空ポンプ。
【請求項１０】
前記ハウジング部（２７）が、オイル排出孔（３９）を有することを特徴とする請求項９に記載のオイル潤滑回転ベーン真空ポンプ。
【請求項１１】
前記オイル排出孔（３９）が、前記オイル分離再生ハウジング（１３）における前記端壁（１８、１９）からアクセス可能であることを特徴とする請求項９に記載のオイル潤滑回転ベーン真空ポンプ。
【請求項１２】
前記ハウジング部（２７）にあるオイルをオイルフィルタ（２８）に通すことができることを特徴とする請求項９〜１１のいずれかに記載のオイル潤滑回転ベーン真空ポンプ。
【請求項１３】
前記オイルフィルタ（２８）に通されたオイルを前記回転ベーン室（５）に導入可能であることを特徴とする請求項１１に記載のオイル潤滑回転ベーン真空ポンプ。
【請求項１４】
分離器（２５）が設けられ、例えば微細分離器である前記分離器（２５）にフィルタマット（４２）が設けられることを特徴とする請求項１〜１３のいずれかに記載のオイル潤滑回転ベーン真空ポンプ。
【請求項１５】
前記フィルタマット（４２）が、オイル／ガス混合物のための内側流路を具備する管状に形成されることを特徴とする請求項１４に記載のオイル潤滑回転ベーン真空ポンプ。
【請求項１６】
分離器（２５）及びフロート装置（３０）が設けられ、例えば微細分離器である前記分離器（２５）で分離されたオイルが前記フロート装置（３０）を通ってハウジング部（２７）に流入することを特徴とする請求項１〜１５のいずれかに記載のオイル潤滑回転ベーン真空ポンプ。
【請求項１７】
フロート装置（３０）が設けられ、前記フロート装置（３０）が、前記メンテナンスカバー（３３）を取り外した後にアクセス可能であることを特徴とする請求項１又は４〜１６のいずれかに記載のオイル潤滑回転ベーン真空ポンプ。
【請求項１８】
前記端壁（１８、１９）に、選択的にメンテナンスカバー（３３）に、充填レベル標示器（３８）が設けられることを特徴とする請求項１〜１７のいずれかに記載のオイル潤滑回転ベーン真空ポンプ。
【請求項１９】
前記端壁（１８、１９）に、選択的にメンテナンスカバー（３３）に、過圧バルブ又は破裂ディスク（４１）が配置されることを特徴とする請求項１〜１８のいずれかに記載のオイル潤滑回転ベーン真空ポンプ。
【請求項２０】
前記端壁（１８、１９）に、選択的にメンテナンスカバー（３３）に、温度モニター要素が配置されることを特徴とする請求項１〜１９のいずれかに記載のオイル潤滑回転ベーン真空ポンプ。
【請求項２１】
前記端壁（１８、１９）を通して、好ましくはメンテナンスカバー（３３）を通して、送られたガスを放出できることを特徴とする請求項１〜２０のいずれかに記載のオイル潤滑回転ベーン真空ポンプ。
【請求項２２】
前記メンテナンスカバー（３３）が、ガス出口ポート（３５）を有することを特徴とする請求項２１に記載のオイル潤滑回転ベーン真空ポンプ。
【請求項２３】
前記端壁（１８）が、ガス出口ポート（３５）を具備するメンテナンスカバー（３３）、又は、消音器若しくは更なるガイド要素との接続のためのメンテナンスカバー（３３）のいずれかを選択的に取り付け可能であることを特徴とする請求項１〜２２のいずれかに記載のオイル潤滑回転ベーン真空ポンプ。
【請求項２４】
必要に応じて取り外し可能な偏向キャップ（３６）を具備する前記ガス出口ポート（３５）が設けられ、その中で、放出されたガスが、前記ガス出口ポート（３５）に与えられたその出口方向に対して少なくとも６０°偏向させられることを特徴とする請求項２２又は２３に記載のオイル潤滑回転ベーン真空ポンプ。
【請求項２５】
前記オイル分離再生ハウジング（１３）が、組立状態にて鉛直方向に下室（２１）及び上室（２２）を具備する一体形成された室を有し、前記オイル分離再生ハウジング（）１３）の長手方向における前面側及び背面側に端壁（１８、１９）を接続されていることを特徴とする請求項１又は２又は５〜２４のいずれかに記載のオイル潤滑回転ベーン真空ポンプ。
【請求項２６】
少なくとも一方の前記端壁（１８、１９）が、前記室（２１、２２）の接続部を形成することを特徴とする請求項２５に記載のオイル潤滑回転ベーン真空ポンプ。
【請求項２７】
前記連通孔（２６）が前記下室（２１）に開口していることを特徴とする請求項７〜２６のいずれかに記載のオイル潤滑回転ベーン真空ポンプ。
【請求項２８】
前記下室（２１）がオイル回収容器を形成していることを特徴とする請求項５〜２７のいずれかに記載のオイル潤滑回転ベーン真空ポンプ。
【請求項２９】
前記オイル回収容器において、好ましくは前記押し出し成形形状（２０）に一体化された１又は複数の冷却器が設けられることを特徴とする請求項２８に記載のオイル潤滑回転ベーン真空ポンプ。
【請求項３０】
分離器（２５）が設けられ、例えば微細分離器である前記分離器（２５）が前記上室（２２）に配置されることを特徴とする請求項２５〜２９のいずれかに記載のオイル潤滑回転ベーン真空ポンプ。
【請求項３１】
オイルとガスの分離がフィルタ要素により行われることを特徴とする請求項１〜３０のいずれかに記載のオイル潤滑回転ベーン真空ポンプ。
【請求項３２】
オイルとガスの分離が重力及び／又は遠心力分離器により行われることを特徴とする請求項１〜３１のいずれかに記載のオイル潤滑回転ベーン真空ポンプ。
【請求項３３】
オイルとガスの分離が分離器（２５）により行われることを特徴とする請求項１〜３２のいずれかに記載のオイル潤滑回転ベーン真空ポンプ。
【請求項３４】
前記分離器（２５）が微細分離器を有することを特徴とする請求項３３に記載のオイル潤滑回転ベーン真空ポンプ。
【請求項３５】
前記微細分離器がフィルタ要素により実現されることを特徴とする請求項３４に記載のオイル潤滑回転ベーン真空ポンプ。
【請求項３６】
オイルとガスの分離がオイル泡除去装置により行われることを特徴とする請求項１〜３５のいずれかに記載のオイル潤滑回転ベーン真空ポンプ。
【請求項３７】
オイル冷却器が設けられることを特徴とする請求項１〜３６のいずれかに記載のオイル潤滑回転ベーン真空ポンプ。
【請求項３８】
オイルポンプが設けられることを特徴とする請求項１〜３７のいずれかに記載のオイル潤滑回転ベーン真空ポンプ。
【手続補正２】
【補正対象書類名】明細書
【補正対象項目名】０００８
【補正方法】変更
【補正の内容】
【０００８】
さらに、オイル分離再生装置を、回転ベーンハウジングとは分離しているが必要に応じて連結したオイル分離再生ハウジングに収容することが公知である。このようなハウジングの側壁は、回転ベーンロータの回転方向に対し、したがって好ましくは実質的に、回転ベーンロータの軸延在方向に対し、交差するように延在する。
独国特許出願公開第20 27 727号公報により、オイルとガスの分離のための装置を設けられた回転ベーンポンプが知られている。オイルとガスの分離のための上記装置におけるモニタリング／メンテナンス装置は多様なユニット形態で設けられている。
【国際調査報告】
2018514693.tif 000014
2018514693.tif 000015
2018514693.tif 000016
2018514693.tif 000017
2018514693.tif 000018
2018514693.tif 000019
2018514693.tif 000020
2018514693.tif 000021
2018514693.tif 000022
2018514693.tif 000023